(57)【要約】眼の水晶体嚢内に眼内レンズを吊るすサスペンションシステムは、サスペンションシステムに形成される１つまたは複数の折り畳み可能なキャビティを有し、それぞれが、キャビティの内部を眼の内部からの流体と連通する少なくとも１つの開口を有し、キャビティの壁は、外力により圧縮された後に、その習慣的形状に戻る十分な構造的弾性を示す。
2019513533.tif 000002
【特許請求の範囲】
【請求項１】
眼の水晶体嚢内に眼内レンズを吊るすサスペンションシステムであって、支持部材を備え、前記支持部材は、水晶体嚢の内面に対して支え、これにより毛様体の力を前記眼内レンズに伝達する表面を備え、更に、前記支持部材内に形成される折り畳み可能なキャビティを備え、この支持部材は、前記キャビティの内部を前記水晶体嚢の内部の隣接するスペースと連通し、流体を前記眼の内部から前記折り畳み可能なキャビティに出入りさせる少なくとも１つの開口を有し、前記折り畳み可能なキャビティの近部内の前記支持部材は、前記キャビティが前記毛様体の力による圧縮下で変形され、前記毛様体の力が低減した後に静止構造に戻ることのできる十分な弾性を有する、前記サスペンションシステム。
【請求項２】
前記折り畳み可能なキャビティを裏打ちする少なくとも１つの壁は、前記折り畳み可能なキャビティが変形したときに、流体が前記折り畳み可能なキャビティ内に戻るのを規制する、請求項１に記載のサスペンションシステム。
【請求項３】
光学部材を更に備え、前記折り畳み可能なキャビティは、前記支持部材または前記光学部材内に一体化され、前記眼の毛様体筋の作用から前記眼の瞳孔の背部の水晶体スペース内の変形可能な光学インタフェースに運動エネルギーを伝達するように作用する構造部材の形状回復を調整する、請求項１に記載のサスペンションシステム。
【請求項４】
前記支持部材は、前記水晶体嚢の内面に対して前記眼内レンズを支持する複数の脚部を備える、請求項１に記載のサスペンションシステム。
【請求項５】
前記支持部材は、前記水晶体嚢の内面に対して前記眼内レンズを支持する前記支持部材内に、平行列に構成される複数の折り畳み可能なキャビティを備える、請求項１に記載のサスペンションシステム。
【請求項６】
前記サスペンションシステムは、それぞれが外部開口と、水平方向に傾斜した側壁とを備え、前記折り畳み可能なキャビティの外部開口の圧縮を容易とする複数の折り畳み可能なキャビティを備える、請求項１に記載のサスペンションシステム。
【請求項７】
前記折り畳み可能なキャビティは、前記折り畳み可能なキャビティが圧縮されたときに前記側壁がその内部に収容される１つまたは複数の凹部を設けられた水平面を備える、請求項６に記載のサスペンションシステム。
【請求項８】
前記折り畳み可能なキャビティの前記壁は、毛様体の圧力により圧縮されたときに、前記キャビティへの外部開口を実質的に閉じ、前記毛様体の圧力が解放されたときに、前記外部開口を開く、請求項１に記載のサスペンションシステム。
【請求項９】
前記折り畳み可能なキャビティの少なくとも１つの壁は、毛様体の圧力により圧縮されたときに、前記キャビティへの前記外部開口を部分的にまたは実質的に閉じ、前記毛様体の圧力が解放されたときに、前記外部開口を部分的にまたは実質的に開く弁として作用する、請求項１に記載のサスペンションシステム。
【発明の詳細な説明】
【技術分野】
【０００１】
本発明は、眼内の自然の水晶体スペースを占める調節式眼内レンズのためのサスペンションシステムに関する。
【背景技術】
【０００２】
眼の焦点を遠方から近位に移すことを可能とするために、水晶体を摘出した後に、毛様体筋／堤靭帯／水晶体嚢の複合体の自然の動特性を再結合する能力を有する調節式眼内レンズが、出現した。この競合分野では、これらのタイプのレンズを眼の中の小さな角膜強膜切開部を通して挿入できることに多くの注目が集まってきた。瞳孔の背部に位置する空の水晶体嚢内に配置されると、眼の毛様体筋の動きと装置の光学部材内の変形可能な光学インタフェースとの間の接続を容易とするために、レンズに取り付けられたサスペンションシステムが、水晶体嚢／堤靭帯の複合体の機能的幾何学構造を再確立する制御された方法で、拡張する必要がある。このプロセスの際、変形可能な光学インタフェースは、高エネルギー状態に付勢され、眼をスペース内の遠位対象物に焦点合わせする。
【発明の概要】
【発明が解決しようとする課題】
【０００３】
過去には、サスペンションシステムは、その構造的強度及び形状回復時間を制御するために種々の方法を使用してきた。いくつかのケースでは、小さな切開部を通して取り付けるためには、これらは大き過ぎ、扱い難かった。更に、その最善の場合でも、非常に遅い回復時間を示しつつ構造的強度を維持することができるサスペンションシステムの特性を達成できないことが判明した。したがって、調節式眼内レンズのためのサスペンションシステムのデザインにおける改善の必要性が存在する。
【０００４】
関連する技術の上述の例およびこれに関する制限は、例示的であり、排他的ではない。関連する技術の他の制限は、明細書の解釈及び図面の検討に際して当業者に明らかとなる。
【課題を解決するための手段】
【０００５】
以下の実施形態およびその態様は、例示的かつ説明的なものであるシステム及び方法との関連で説明および図示されており、範囲を限定するものではない。種々の実施形態では、上述の問題の１つまたは複数が低減または解消され、一方、他の実施形態は他の改善を対象とする。
【０００６】
本発明の１つの態様は、１つまたは複数の中空キャビティを備え、そのキャビティがその外部環境の流体と連通する少なくとも１つの開口を有する調節式眼内レンズのための膨張可能なサスペンションシステムの回復時間を制御する機構を提供し、そのキャビティを裏打ちする壁は外力により圧縮された後、その習慣的形状に向けて戻る十分な構造的弾性を示す。１つの態様によると、キャビティを裏打ちする少なくとも１つの壁は、キャビティ内への流体の戻りを規制してもよい。折り畳み可能なキャビティは、支持部材または光学部材内に一体化し、眼の筋肉の作用から、眼の瞳孔の背部の水晶体スペース内の変形可能な光学インタフェースに運動エネルギーが伝達するように作用する構造部材の形状回復を調整してもよい。折り畳み可能なキャビティは、前記水晶体嚢の内面に対して眼内レンズを支持する１つまたは複数の脚部を備える支持部材内に一体化してもよい。
【０００７】
本発明は、眼の水晶体嚢内に眼内レンズを吊るすサスペンションシステムを提供し、このサスペンションシステムは、支持部材を備え、この支持部材は水晶体嚢の内面に対して支え、これにより毛様体の力を眼内レンズに伝達する表面を備え、更に、支持部材内に形成される折り畳み可能なキャビティを備え、この支持部材は、このキャビティの内部を水晶体嚢の内部の隣接するスペースと連通し、眼の内部から折畳み可能なキャビティに出入りする流体を移動させる少なくとも１つの開口を有し、このキャビティの近部内の支持部材は、毛様体の力による圧縮下で変形され、毛様体の力が低減した後に静止構造に戻ることを可能とするために十分な弾性を有する。
【０００８】
サスペンションシステムは、眼内レンズを水晶体嚢の内面に対して支えるために、支持部材内で平行列に構成される複数の折り畳み可能なキャビティを備えてもよい。折り畳み可能なキャビティは、それぞれ水平方向に傾斜した側壁を備え、折り畳み可能なキャビティの外部の開閉の圧縮を容易としてもよい。側壁は、圧縮されたときに折り畳み可能なキャビティの水平壁内のスペースに収容してもよい。折り畳み可能なキャビティの壁は、毛様体圧力により圧縮されたときにキャビティへの開口を実質的に閉じ、毛様体圧力が解放されたときに開口を開き、これにより、折り畳み可能なキャビティを裏打ちする少なくとも１つの壁がフラップ弁として機能してもよい。
【０００９】
上述の例示的な態様及び実施形態に加え、他の態様及び実施形態は、図を参照し、以下の詳細な説明を検討することにより明らかとなる。
【００１０】
例示的な実施形態を図面の参照図に示す。本明細書に開示した実施形態及び図面は、限定的ではなく例示的と判断されるべきことを意図している。
【図面の簡単な説明】
【００１１】
【図１】図１４に示す調節式眼内レンズのＡ−Ａ線に沿う断面図である。
【図２】図２ａは、その開状態の中空キャビティを示す図１の脚部２０の下端部の詳細な断面図である。図２ｂは、その閉構造の中空キャビティを示す図１の脚部２０の下端部の詳細な断面図である。
【図３】図３ａは、その開構造の中空キャビティを示す図１の脚部２０の下端部の詳細な正面図である。図３ｂは、その閉構造の中空キャビティを示す図１の脚部２０の下端部の詳細な正面図である。
【図４】図４ａは、その開構造の中空キャビティの第２実施形態を示す図１の脚部２０の下端部の詳細な正面図である。図４ｂは、その閉構造の中空キャビティの第２実施形態を示す図１の脚部２０の下端部の詳細な正面図である。
【図５】眼内レンズサスペンションシステムの第１実施形態の上部前側斜視図である。
【図６】図５に示す実施形態の底部前側斜視図である。
【図７】図５に示す実施形態の上面図である。
【図８】図５に示す実施形態の右側面図である。
【図９】図５に示す実施形態の正面図である。
【図１０】眼内レンズサスペンションシステムの第２実施形態の上部前側斜視図である。
【図１１】図１０に示す実施形態の底部前側斜視図である。
【図１２】図１０に示す実施形態の正面図であり、背面図はその鏡像である。
【図１３】図１０に示す実施形態の右側面図であり、左側面図はその鏡像である。
【図１４】図１０に示す実施形態の上面図である。
【図１５】図７のＣ−Ｃ線に沿う断面の斜視図である。
【図１５ａ】開構造の複数の平行な中空キャビティを示す図１の脚部２０の下端部の第３実施形態の詳細な断面図である。
【図１５ｂ】閉構造の中空キャビティを示す図１５ａの実施形態の詳細な断面図である。
【図１６】図１６ａは、開構造の図１５ａの脚部２０の下端部の実施形態の詳細な正面図である。図１６ｂは、閉構造の図１６ａの脚部２０の下端部の実施形態の詳細な正面図である。
【発明を実施するための形態】
【００１２】
以下の記載を通して、当業者がより十分に理解するために具体的な詳細を説明する。しかし、周知な要素については、詳細な図示または説明を省略し、説明が不必要に不明瞭になるのを避ける。したがって、説明及び図面は、限定的ではなく例示的な意味で考慮されるべきである。
【００１３】
図１は、調節式眼内レンズ１０の断面を示す。力のベクトルＢが毛様体筋により調節式レンズ１０に加えられると（「ＩＮＦＬＡＴＡＢＬＥ  ＩＮＴＲＡＯＣＵＬＡＲ  ＬＥＮＳ／ＬＥＮＳ  ＲＥＴＡＩＮＥＲ」と題する参照した米国特許第８，５７９，９７１号に記載されているように）、遠位または近位対象物に焦点を集めるために、レンズを調節する。レンズ１０は、複数の脚部２０を有するキャリッジ６０により支持される透明な光学部材５０を有する。中空スペース５４が、光学部材５０とキャリッジ６０との間に形成される。脚部２０は、図５〜９に示すように幅広の基部２４を有する２つのサポート２２、または、８つの独立した脚部２６がキャリッジ６０に設けられる図１０〜１４に示すように多数の独立した脚部２６、または、他の数若しくは配置の脚部であってもよい。基部２４または脚部２６の下面は水晶体嚢内の表面に当接し、これは水晶体嚢の内面であってもよく、毛様体筋の圧縮力を調節式レンズ１０に伝達する。
【００１４】
本発明は、調節式眼内レンズの触覚（ｈａｐｔｉｃｓ）またはサスペンションシステム内に形成される中空キャビティ４０を備える。眼の水晶体嚢内では、図１のベクトルＢにより示すように、毛様体筋の作用により生成される力により、周囲の眼液が中空キャビティ４０から移動される。図２ａ、３ａ及び４ａに示すように、毛様体筋により作用される力が緩むと、中空キャビティ４０の壁の弾性特性により中空区画４０内に部分的な真空が生成され、その静止状態にこれらが戻るのを可能とする。中空キャビティ４０内への流体の戻りは、中空キャビティ４０を裏打ちする少なくとも１つの壁の構造に一体化されたフラップ弁３０の作用により調節される。キャビティ４０の壁は、圧縮力が脚部２０に作用したときに、キャビティ４０の入口の開閉を調整するフラップ弁として機能するように、壁材料の柔軟性、キャビティ４０の深さ及び幅を選択することにより構築される。
【００１５】
眼内レンズの触覚領域内の中空キャビティの特定の用途は、米国特許第８，５７９，９７１号に記載のように、キャビティが、その習慣的形状に比較的ゆっくり戻ることを必要とし、ここでは、半透過性壁を有する密封キャビティ内に戻る液体の吸収が、調節式眼内レンズに作用する圧縮力を制御するために使用される。この同じ原理は、開及び閉構造を説明する図３ａ及び３ｂに図示するように、中空キャビティ４０に適用されるが、浸透勾配を確立する液体に接触する半透過膜の使用により達成されるよりも、より効果的な制御となる。双方の異なる機構の使用を組み合わせることは、膨張可能な触覚の形状のより効果的な制御を提供するために使用可能である。
【００１６】
中空キャビティ４０に出入りする液体の流れの速度は、多くのファクタに依存し、これは、これに限定されるものではないが、以下、つまり材料の弾性、壁厚、中空キャビティに出入りする流体の粘度、中空キャビティの壁を作成するために使用される材料により誘発される表面張力、中空キャビティの内部と周囲の流体媒体との間を連通する１つまたは複数のオリフィスの表面積、中空キャビティ４０のオリフィスの形状、複数の中空キャビティの位置により形成されるパターン、フラップ弁３０の効率、または、これらのファクタの任意の組み合わせを含む。
【００１７】
図１及び２ａ、２ｂの断面図、及び、図３ａ、３ｂ及び４ａ、４ｂの正面図に示すように、それぞれの中空キャビティ４０は、脚部の外側に開口しかつ半径方向内側に延びる脚部２０に形成される幅広のスロットとして形成され、レンズが圧力を受けていないときにほぼ平行な壁を有するが、その外側入口は、脚部２０が圧縮力を受けたときに図２ｂ、３ｂ、４ｂに示すように圧縮される。それぞれの脚部２０に１つの中空キャビティ４０があってもよく、または、複数の中空キャビティ４０を上下に平行に積み重ね、図１５ａ、１５ｂ、１６ａ、１６ｂに示すように、脚部２０の前面から見たときに魚のえらに似た、一連のフラップ弁として機能してもよい。図４ａに示すように、中空キャビティ４０の側壁４２は、水平に対して４５度または同様な角度に傾斜し、中空キャビティ４０の外部開口の圧縮を容易としてもよい。図４ａは、フラップ弁３０の着座の設計の変更を示し、図４ｂにその閉構造を示すように、側壁４２はスロット３４内に嵌合することができる。更に、図３ａ及び３ｂ並びに４ａ及び４ｂは、中空キャビティ４０の開口の幅の変化を明示する。中空キャビティ４０の壁は、外力により圧縮された後にその習慣的形状に戻る十分な構造的弾性を示す。
【００１８】
中空キャビティを裏打ちする壁の種々の形状は、液体の中空キャビティ４０内への戻りの速さをカスタマイズするように構成することができる。フラップ弁３０は、完全に閉じ、液体の流入を完全に封鎖するように構成することができ、または、図２ａ及び２ｂに示すように、部分的に閉じ、規制された流れを可能とするように設計することができる。図２ａ及び２ｂは、単一の中空キャビティを示す。本発明は、単一の支持部材に複数の中空キャビティ４０を上下に重ね、累積的効果を可能とする。この積重ね構成により、中空キャビティ４０の側壁はアコーディオン機構のように動作しかつこれに酷似して見える。正面から見ると、フラップ弁は、図１６ａ、１６ｂに示すように魚のえらに酷似して見え、水晶体嚢の圧縮により作用する力に応じて閉じ、中空キャビティ４０を裏打ちする壁を作成するために使用される材料基質の形状記憶特性に応じて開く。
【００１９】
図１５ａの断面図及び図１６ａの正面図に示すように、図１５ａ、１５ｂ、１６ａ、１６ｂに示すように、脚部２０の前から見たときに魚のえらに似て、一連のフラップ弁として機能する上下に平行に積み重ねた複数の中空キャビティ４０を設けてもよい。繰り返すと、それぞれの中空キャビティ４０は、脚部２０に形成され、脚部の外側に開口し、かつ半径方向内側に延びる幅広のスロットとして形成され、これは、レンズが圧力を受けていないときに全体的に平行な壁を有するが、その外側入口は、脚部２０が圧縮力を受けたときに、図１５ｂ及び１６ｂに示すように圧縮される。この場合、分割する壁４１は、隣接するキャビティ４０間に形成される。スロットの外側縁部は、完全に圧縮されたときに接触し、キャビティ４０の入口を密封してもよく、または、脚部２０が圧縮されたときに僅かな離間をしていてもよく、キャビティ４０からの周囲の流体の流れを調整してもよい。したがって、キャビティ４０の壁は、再度フラップ弁として機能するように構成され、キャビティ４０への入口の開閉を調整する。
【００２０】
中空キャビティ４０を備えるサスペンション部材に必要な材料は、圧縮され、伸張されまたは他に変形された後に原サイズ及び形状に容易に復帰する強力な記憶を持つ弾性材料である。良好な形状記憶特性を有する眼内レンズの製造に一般的に使用される材料は、これに限定されるものではないが、以下の分類を含む。つまり、シリコーン、シリコーンヒドロゲル、疎水性及び親水性のアクリル、ポリエチレン、ポリプロピレン、ポリウレタン、及び、これらのブロックコポリマー（ｃｏ：ｂｌｏｃｋ  ｐｏｌｙｍｅｒｓ）。中空キャビティ４０は、キャリッジ材料内にレーザーで彫られるのが好ましいが、鋳型またはカービング等により形成してもよい。
【００２１】
眼内レンズ１０のキャリッジ６０に中空キャビティを設けることにより、圧縮力から解放されたときに、レンズの原形状に迅速に回復する能力を有しつつ、圧縮力はレンズが光学部材５０に対する調節に適応することを可能とする。開示した実施形態におけるキャリッジ６０の支持脚部２０の特別な構造は、凸面を上方に向けた輪郭ではなく、凹面を上方に向けた輪郭（図１の断面図及び図１５の側面図に示すように）を提供し、毛様体筋の圧縮力を吸収及び伝えるために特に効果的なことが判明した。本発明は、調節式眼内レンズの特別な実施形態に関連して説明してきたが、毛様体筋の作用を瞳孔の背部の水晶体スペース内の曲率または屈折の変化に結び付ける任意の光学部材またはサスペンションシステム内に広く一体化することができる。
【００２２】
上述のような折り畳み可能なキャビティは、また、光学部材５０または他の光学部材内に一体化し、眼の毛様体筋の作用から、眼の瞳孔の背部の水晶体スペース内の変形可能な光学インタフェースに運動エネルギーが伝達するのを介在する構造部材の形状回復を調整してもよい。
【００２３】
本発明の形状回復特性は、人の眼の内側の水晶体スペース内に配置される構造部材が、小帯／水晶体嚢の複合体とのそのつながりを介する毛様体筋運動により開始する運動エネルギーを効果的に利用するように配向される手段を提供する。この効率は、調整式レンズの種々の設計に対する曲率変化を誘導するように利用することができるが、更に、電流を制御及び／または生成するために使用することもできる。
【００２４】
近年、変更可能な光学特性を有する種々の電気機械レンズ設計が出現している。一般に、これらは、電流の流れに応じて曲率または屈折率を変化する。眼内の電気の流れは、水晶体嚢と主題のサスペンションシステムの構造部材との間に配置される電気スイッチにより、調整することができる。同様に、電流は、水晶体嚢とサスペンションシステムの構造部材との間に配置される微小サイズの発電機により発生され得る。眼の水晶体スペース内の拡張可能なレンズサスペンションシステムの使用により、毛様体筋の作用が、小帯／水晶体嚢の複合体を介して伝達され、このような電気部材の広いアレイ（ａｒｒａｙ）を活性化することができる。
【００２５】
したがって、本発明は、最終的にそれぞれのレシピエントの眼の網膜に当たる光を発生または変更することができる種々の機械的及び電気的な適応に対する小帯／水晶体嚢の複合体の運動に由来する運動エネルギーを効果的に利用することができる。
【００２６】
多くの例示的な態様および実施形態が上記で議論されてきたが、当業者は、それらの特定の変更、置換、追加及び副組合せを認める。したがって、以下の添付の特許請求の範囲及び以下に導入される特許請求の範囲は、明細書全体の最も広い解釈と一致する全てのそのような変更、置換、追加および副組合せを含むと解釈されることを意図している。
【００２７】
関連出願の参照
本発明は、２００８年８月１２日付け出願の「ＩＮＦＬＡＴＡＢＬＥ  ＩＮＴＲＡＯＣＵＬＡＲ  ＬＥＮＳ／ＬＥＮＳ  ＲＥＴＡＩＮＥＲ」と題する米国特許出願第１２／６７１，５７３号に開示され、現在米国特許第８，５７９，９７１号及び２０１３年１１月８日付けで出願され係属中の継続出願第１４／０７６，１０２号に記載の本願出願人の膨張可能レンズ／レンズリテーナに関連し、これらは参照することによりその全体が本願明細書に包含されるものであり、更に、２０１３年２月６日付け出願の「ＬＡＳＥＲ  ＳＣＵＬＰＴＥＤ  ＣＯＭＰＡＲＴＭＥＮＴＳ  ＷＩＴＨＩＮ  ＳＵＳＰＥＮＳＩＯＮ  ＳＹＳＴＥＭＳ  ＦＯＲ  ＩＮＴＲＡＯＣＵＡＬＲ  ＬＥＮＳＥＳ」と題する米国仮出願第６１／７６１，５６９号及び２０１４年８月１４日公開の「ＥＸＰＡＮＤＡＢＬＥ  ＳＵＳＰＥＮＳＩＯＮ  ＳＹＳＴＥＭＳ  ＦＯＲ  ＩＮＴＲＡＯＣＵＬＡＲ  ＬＥＮＳＥＳ」と題する国際公開第２０１４／１２１３９１号に関連しており、これらは参照することにより本願明細書に包含される。本願は、２０１６年５月２５日付け出願の「Ｃｏｌｌａｐｓｉｂｌｅ  Ｃａｖｉｔｉｅｓ  ｗｉｔｈｉｎ  Ｓｕｓｐｅｎｓｉｏｎ  Ｓｙｓｔｅｍｓ  ｆｏｒ  Ｉｎｔｒａ−ｏｃｕｌａｒ  Ｌｅｎｓｅｓ」と題する米国仮出願第６２／３４１，４３０号の米国特許法第１１９条（ｅ）に基づく利益を請求しており、これは、参照することにより本願明細書に包含される。
【図１】
2019513533.tif 000003
【図２】
2019513533.tif 000004
【図３】
2019513533.tif 000005
【図４】
2019513533.tif 000006
【図５】
2019513533.tif 000007
【図６】
2019513533.tif 000008
【図７】
2019513533.tif 000009
【図８】
2019513533.tif 000010
【図９】
2019513533.tif 000011
【図１０】
2019513533.tif 000012
【図１１】
2019513533.tif 000013
【図１２】
2019513533.tif 000014
【図１３】
2019513533.tif 000015
【図１４】
2019513533.tif 000016
【図１５】
2019513533.tif 000017
【図１５ａ】
2019513533.tif 000018
【図１５ｂ】
2019513533.tif 000019
【図１６】
2019513533.tif 000020
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
眼の水晶体嚢内に眼内レンズを吊るすサスペンションシステムであって、支持部材を備え、前記支持部材は、水晶体嚢の内面に対して支え、これにより毛様体の力を前記眼内レンズに伝達する表面を備え、更に、前記支持部材内に形成される折り畳み可能なキャビティを備え、この支持部材は、前記キャビティの内部を前記水晶体嚢の内部の隣接するスペースと連通し、前記水晶体嚢の前記内部から流体が前記折り畳み可能なキャビティに出入りするのを可能とする少なくとも１つの開口を有し、前記折り畳み可能なキャビティは、前記キャビティを裏打ちする壁を有し、前記折り畳み可能なキャビティの近部内の前記支持部材は、前記キャビティが前記毛様体の力による圧縮下で変形され、前記毛様体の力が低減した後に静止構造に戻ることのできる十分な弾性を有し、前記折り畳み可能なキャビティに出入りする流体の流れは、前記折り畳み可能なキャビティを裏打ちする前記壁のフラップ弁作用により調整され、これにより、前記キャビティの圧縮は、前記壁を分離する距離を前記開口の近部において、前記開口から離間した前記キャビティの位置におけるよりもより大きな程度に減少させ、これにより、前記毛様体の力が低減した後、前記キャビティ内に戻る流体の流れを規制する、前記サスペンションシステム。
【請求項２】
前記折り畳み可能なキャビティを裏打ちする前記壁の前記フラップ弁作用は、前記折り畳み可能なキャビティを裏打ちする少なくとも１つの壁のフラップ弁作用を含む、請求項１に記載のサスペンションシステム。
【請求項３】
前記折り畳み可能なキャビティの前記壁は、毛様体の圧力により圧縮されたときに前記キャビティへの前記開口の断面積領域を可逆的に規制し、これにより、毛様体の圧力により圧縮されたときに、前記折り畳み可能なキャビティからの前記流体の流れを規制する、請求項１に記載のサスペンションシステム。
【請求項４】
前記折り畳み可能なキャビティに出入りする前記流体の流れは、前記毛様体の力による圧縮下で変形される前記折り畳み可能なキャビティを裏打ちする前記壁により調整され、前記キャビティに出入りする流体の戻りを規制する、請求項１に記載のサスペンションシステム。
【請求項５】
前記折り畳み可能なキャビティは、対向する上下平坦壁を備え、前記折り畳み可能なキャビティに出入りする前記流体の流れは、前記毛様体の力による圧縮下で可逆的に減少する前記対向する平坦壁間の距離により、前記開口の近部において、前記開口から離間する前記キャビティ内の位置におけるよりもより大きな程度に調整され、前記毛様体の力による圧縮下の際に前記キャビティから流出しかつ圧縮が低減したときに前記キャビティ内に戻る前記流体の流れを規制する、請求項１に記載のサスペンションシステム。
【請求項６】
前記折り畳み可能なキャビティは、前記支持部材に形成されて前記支持部材の前記外部に開口し、かつ、前記支持部材の外部から内方に延びるスロットを備え、更に、前記支持部材が毛様体の圧力を受けないときに略２つの平行な壁を備え、前記開口は、前記支持部材が前記毛様体の力から圧縮されたときに収縮され、前記略平行な壁の相対運動により前記略平行な壁の間隔を前記開口の近部において減少させる、請求項１に記載のサスペンションシステム。
【請求項７】
前記折り畳み可能なキャビティに出入りする前記流体の流れは、前記折り畳み可能なキャビティを裏打ちする少なくとも２つの対向する壁の相対運動により調整され、これにより、前記２つの対向する壁を、前記開口の近部において、前記開口から離間する前記キャビティ内の位置におけるよりも共により密に締め付ける、請求項１に記載のサスペンションシステム。
【請求項８】
前記折り畳み可能なキャビティの前記壁は、毛様体の圧力により圧縮されたときに、前記キャビティへの前記開口を実質的に閉じ、前記毛様体の圧力が解放されたときに、前記開口は、静止した状態で開口構造に戻る、請求項１に記載のサスペンションシステム。
【請求項９】
前記支持部材は、前記水晶体嚢の内面に対して前記眼内レンズを支持する前記支持部材内に、平行列に構成される複数の折り畳み可能なキャビティを備える、請求項１に記載のサスペンションシステム。
【請求項１０】
前記平行列のそれぞれの前記折り畳み可能なキャビティを裏打ちする前記壁は、それぞれの前記折り畳み可能なキャビティが変形したときに、前記折り畳み可能なキャビティに出入りする前記流体の流れを規制する、請求項９に記載のサスペンションシステム。
【請求項１１】
前記折り畳み可能なキャビティの少なくとも１つの壁は、毛様体の圧力により圧縮されたときに、前記キャビティへの前記開口を部分的にまたは実質的に閉じ、前記毛様体の圧力が解放されたときに、前記開口を部分的にまたは実質的に開くフラップ弁として作用する、請求項１に記載のサスペンションシステム。
【請求項１２】
前記折り畳み可能なキャビティは、毛様体圧力が前記支持部材に作用される、または前記支持部材から解除されたときに、前記折り畳み可能なキャビティの前記開口の前記サイズの調整を容易とするために、前記フラップ弁作用により相対的に角度を付けられる対向する壁を備える、請求項１に記載のサスペンションシステム。
【請求項１３】
前記サスペンションシステムは、それぞれが毛様体圧力により圧縮されたときに、前記折り畳み可能なキャビティの前記開口のサイズを低減するように、前記フラップ弁作用により相対的に角度を付けられる対向する壁を備える複数の折り畳み可能なキャビティを備える、請求項１に記載のサスペンションシステム。
【請求項１４】
前記折り畳み可能なキャビティは、前記折り畳み可能なキャビティが圧縮されたときに、前記対向する壁の１つがその内部に収容される１つまたは複数の凹部を設けられた水平面を備える、請求項１に記載のサスペンションシステム。
【請求項１５】
前記折り畳み可能なキャビティに出入りする前記流体の流れは、前記毛様体の力による圧縮下で変形される前記折り畳み可能なキャビティを裏打ちする前記壁により調整され、流体が前記キャビティ内に戻るのを規制する、請求項１に記載のサスペンションシステム。
【請求項１６】
変形可能な光学インタフェースを備える光学部材を更に備え、前記折り畳み可能なキャビティは、前記光学部材のための前記支持部材内に一体化され、眼の毛様体筋の作用から前記光学インタフェースに運動エネルギーを伝達するように作用する構造部材の形状回復を調整する、請求項１から請求項１５のいずれか一項に記載のサスペンションシステム。
【請求項１７】
前記支持部材は、前記水晶体嚢の内面に対して前記眼内レンズを支持する複数の脚部を備える、請求項１に記載のサスペンションシステム。
【国際調査報告】
2019513533.tif 000021
2019513533.tif 000022